(57)【要約】      （修正有）【課題】より簡単な構造でロープをしっかりと固定できる紐固定装置を提供する。【解決手段】紐固定装置１０は、ロープを通す貫通孔２６を有し、ロープの一方端に形成される結び目を係止する係止部１２と、貫通切欠き１８が形成されるように係止部１２から所定の間隔をあけて延伸する一対の延伸部１４と、一対の延伸部１４の先端に設けられ、ロープを嵌めこんで固定するための溝２０ａ，２０ｂが形成された固定部１６と、を備え、延伸部１４は、貫通切欠き１８の外部から内部へロープを延伸方向に交わる方向にした状態のまま移動させるための切欠き部２７を有する。【選択図】図１
0003206396.tif 000002
【実用新案登録請求の範囲】
【請求項１】
紐部材を通す貫通孔を有し、前記紐部材の一方端に形成される結び目を係止する係止部と、
貫通切欠きが形成されるように前記係止部から所定の間隔をあけて延伸する一対の延伸部と、
前記一対の延伸部の先端に設けられ、前記紐部材を嵌めこんで固定するための溝部が形成された固定部と、
を備え、
前記延伸部は、前記貫通切欠きの外部から内部へ前記紐部材を前記延伸方向に交わる方向にした状態のまま移動させるための切欠き部を有することを特徴とする紐固定装置。
【請求項２】
請求項１に記載の紐固定装置において、
前記切欠き部を塞ぐことが可能な扉部をさらに備えることを特徴とする紐固定装置。
【請求項３】
請求項１または請求項２に記載の紐固定装置において、
前記溝部は、前記固定部の上部及び下部に形成され、前記延伸方向に延びる溝であることを特徴とする紐固定装置。
【考案の詳細な説明】
【技術分野】
【０００１】
本考案は、紐固定装置に関する。
【背景技術】
【０００２】
従来、ロープなどの紐部材を保持する器具が開発されている。本考案に関連する技術として、例えば、特許文献１には、ロープ緊張保持金具は、両側に適宜な間隔をあけて側板部を有するステンレス製の保持金具本体と、この保持金具本体内に設けられたロープ抑え回動体とこのロープ抑え回動体との間にロープを挟持するためのロープ抑え受部材とからなっていて、ロープ抑え回動体の頭部には、自動車タイヤと同じような性質・特性のゴム製部材からなるロープ抑え部材が該頭部を覆うように設けられている。
【先行技術文献】
【特許文献】
【０００３】
【特許文献１】特開２００２−２８５７０６号公報
【考案の概要】
【考案が解決しようとする課題】
【０００４】
ところで、複数の部材を束ねた状態のもの、例えば、複数の薪部材を束ねた状態にしてロープなどで括り付ける場合にロープを固定する必要がある。本考案の目的は、より簡単な構造でロープをしっかりと固定することを可能とする紐固定装置を提供することである。
【課題を解決するための手段】
【０００５】
本考案に係る紐固定装置は、紐部材を通す貫通孔を有し、前記紐部材の一方端に形成される結び目を係止する係止部と、貫通切欠きが形成されるように前記係止部から所定の間隔をあけて延伸する一対の延伸部と、前記一対の延伸部の先端に設けられ、前記紐部材を嵌めこんで固定するための溝部が形成された固定部と、を備え、前記延伸部は、前記貫通切欠きの外部から内部へ前記紐部材を前記延伸方向に交わる方向にした状態のまま移動させるための切欠き部を有することを特徴とする。
【０００６】
また、本考案に係る紐固定装置において、前記切欠き部を塞ぐことが可能な扉部をさらに備えることが好ましい。
【０００７】
また、本考案に係る紐固定装置において、前記溝部は、前記固定部の上部及び下部に形成され、前記延伸方向に延びる溝であることが好ましい。
【考案の効果】
【０００８】
本考案によれば、紐部材を用いて束ねられた複数の部材を括り付けた状態で紐部材を溝部に嵌めこむことでしっかりと固定することができる。
【図面の簡単な説明】
【０００９】
【図１】本考案に係る実施形態の紐固定装置を示す図である。
【図２】本考案に係る実施形態の紐固定装置において、ロープを固定した様子を示す図である。
【考案を実施するための形態】
【００１０】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１１】
図１は、紐固定装置１０を示す図である。図１（ａ）は、紐固定装置１０の左斜め後方の斜視図である。図１（ｂ）は、紐固定装置１０の右斜め前方の斜視図である。図１（ｃ）は、紐固定装置１０の上面図である。図１（ｄ）は、図１（ｃ）のＢ−Ｂ線断面図である。図１（ｅ）は、図１（ｃ）のＡ−Ａ線断面図である。図２は、紐固定装置１０において、ロープ８を固定した様子を示す図である。
【００１２】
紐固定装置１０は、複数の部材を束ねた状態のもの、例えば、複数の薪部材を束ねた状態にしてロープ８などの紐部材で括り付ける場合にロープ８を固定するための装置である。紐固定装置１０は、係止部１２と、一対の延伸部１４と、固定部１６とを備える。
【００１３】
係止部１２は、ロープ８を通す貫通孔２６を有し、ロープ８の一方端８ａに形成される結び目を係止する機能を有する。係止部１２は、適度な強度を有する樹脂などによって構成される。係止部１２は、外観は略円柱形状を有しており、上部において所定の孔面積を有する円柱形状の凹み領域２２が形成されている。
【００１４】
係止部１２は、下部においてロープ８の断面積よりも若干大きい孔面積を有し、凹み領域２２に連通する貫通孔２６が形成されている。また、係止部１２の側面において、紐固定装置１０の背面部側には、貫通孔２６と同じ孔面積を有し、凹み領域２２に連通する貫通孔２４が形成されている。
【００１５】
一対の延伸部１４は、貫通切欠き１８が形成されるように係止部１２から所定の間隔をあけて延伸する。一対の延伸部１４は、適度な強度を有する樹脂などによって構成される。一対の延伸部１４は、所定の厚みを有する略平板部材が伸びている。係止部１２と一対の延伸部１４とで上面視で凹形状を構成する。貫通切欠き１８の面積は、ロープ８の断面積に比べて大きく、例えば、ロープ８の断面積の約６倍に設定されている。
【００１６】
一対の延伸部１４は、紐固定装置１０の上面視で左側の延伸部１４の先端側において、貫通切欠き１８の外部から内部へロープ８を延伸方向に交わる方向にした状態のまま移動させるための切欠き部２７が形成されている。左側の延伸部１４は、切欠き部２７を塞ぐことが可能な扉部２８を備えている。
【００１７】
扉部２８は、貫通切欠き１８の内部に向けて開くように設けられた回動手段を有している。扉部２８は、閉じたときに左側の延伸部１４と面一状態で保持されるように保持手段が設けられている。
【００１８】
固定部１６は、一対の延伸部１４の先端に設けられ、ロープ８を嵌めこんで固定するための溝部２０が形成されている。溝部２０は、固定部１６の上部及び下部に形成され、延伸方向に延びる溝２０ａ，２０ｂである。
【００１９】
溝２０ａは、開口部である上部がロープ８の幅よりも若干小さい幅に設置されており、下部がロープ８の幅よりもほぼ同じ幅を有している。これにより、ロープ８を嵌めこむときは、幅を小さくするために力が必要となるが上部を通過した後は、ロープ８が元の幅に戻るため、簡単にロープ８が溝２０ａから抜けないように固定することができる。溝２０ｂは、溝２０ａと同様の構造を有しており、開口部が下部となるように形成される。
【００２０】
続いて、上記構成の紐固定装置１０の作用について説明する。ロープ８を用いて、例えば、複数の薪部材を束ねたものを括り付ける場合について説明する。
【００２１】
ロープ８の一方端８ａを貫通孔２６に通し、凹み領域２２から突出させて一方端８ａを団子状に結ぶ。その後、ロープ８を引っ張ると結び目が凹み領域２２に収納された状態でロープ８を係止させることができる。
【００２２】
なお、ここでは、ロープ８の一方端８ａを係止部１２の下部に形成された貫通孔２６から挿入するものとして説明したが、係止部１２の側面に形成された貫通孔２４から挿入して係止させてもよい。
【００２３】
このように、ロープ８の一方端８ａが係止された状態で、ロープ８の他方端８ｂを手でつかみ、紐固定装置１０の下方において、複数の薪部材が束ねられたグループの周囲をロープ８で括り付ける。その後、ロープ８の他方端８ｂを掴み、貫通切欠き１８の外部から内部に向けてロープ８を延伸方向に交わる方向にした状態のまま移動させる。
【００２４】
そして、ロープ８で扉部２８を押し付けて、扉部２８を開き、ロープ８を貫通切欠き１８の内部に収める。そして、ロープ８を固定部１６の溝２０ａの延伸方向に沿った状態にして、ロープ８を溝２０ａの上部の幅よりも小さくするように力を加えながら、溝２０ａに嵌めこむ。ロープ８が溝２０ａの下部に入り込むと元の幅に戻って、溝２０ａにしっかりと固定される状態となる。
【００２５】
さらに強固に固定したい場合は、ロープ８を固定部１６の下部にも回り込ませて、溝２０ｂに嵌めこむようにすることも好適である。
【００２６】
一般的に、紐固定装置１０の下方において、複数の薪部材を束ねたものをロープ８で括り付ける。そうすると、上記のように、ロープ８の他方端８ｂ側が紐固定装置１０の上方になるようにした状態でロープ８を貫通切欠き１８の内部に収め、固定部１６の上部に位置する溝部２０ａにロープ８を固定することになる。
【００２７】
しかし、紐固定装置１０の上下が分からずに、紐固定装置１０の上方において、複数の薪部材を束ねたものをロープ８で括り付けることも考えられる。この場合、ロープ８の他方端８ｂ側が紐固定装置１０の下方になるようにした状態でロープ８を貫通切欠き１８の内部に収め、固定部１６の下部に位置する溝部２０ｂに固定することも可能であるため、便利である。
【００２８】
なお、紐固定装置１０の変形例として、扉部２８を設けないで切欠き部２７が露出した状態で構成してもよい。また、溝部２０ａに凹凸状の櫛歯形状にすることでロープ８の固定力を高めるのも好ましい。
【符号の説明】
【００２９】
８  ロープ、８ａ  一方端、８ｂ  他方端、１０  紐固定装置、１２  係止部、１４  延伸部、１６  固定部、１８  貫通切欠き、２０  溝部、２０ａ，２０ｂ  溝、２２  凹み領域、２４，２６  貫通孔、２７  切欠き部、２８  扉部。
【図１】
0003206396.tif 000003
【図２】
0003206396.tif 000004